(57)【特許請求の範囲】
【請求項１】
プロジェクタ用の光源と、
外部機器から入力される画像信号の入力状態を判定する画像判定部と、
前記画像判定部が前記画像信号の未入力を判定し、前記画像信号が未入力の状態で所定時間経過した場合は前記光源の発光出力を、前記発光出力の低下を気づかせないような低下率で低下させ、前記発光出力が低下している間に、前記画像判定部が前記画像信号の入力を判定すると、前記光源の前記発光出力を初期の発光出力まで素早く増加させる光源制御部と、
を有するプロジェクタ装置。
【請求項２】
前記光源制御部は、前記光源の前記発光出力を一定量低下した状態で維持させる請求項１記載のプロジェクタ装置。
【請求項３】
前記光源制御部は、維持させている前記光源の前記発光出力を前記低下率で再度低下させる請求項２記載のプロジェクタ装置。
【請求項４】
前記光源制御部は前記光源の前記発光出力を前記低下率で所定の下限値まで低下させる請求項１乃至３のいずれか１項に記載のプロジェクタ装置。
【請求項５】
前記光源制御部は、低下させた前記発光出力を維持させている間に、前記画像判定部が前記画像信号の変化及び前記画像信号の入力のいずれか一方を判定すると、前記光源の前記発光出力を前記初期の発光出力に回復させる請求項３記載のプロジェクタ装置。
【請求項６】
前記一定量低下した前記発光出力は、ユーザが設定した発光出力モードの発光出力の８５％〜９０％である請求項２記載のプロジェクタ装置。
【請求項７】
前記画像判定部は、前記画像信号に基づくフレームの各輝度にそれぞれ対応する画素数のヒストグラムに応じて、前記画像信号の入力状態を判定する請求項１記載のプロジェクタ装置。
【請求項８】
前記画像判定部は、前記ヒストグラムと、過去の画像信号に対応するヒストグラムとの差に基づき前記画像信号の入力状態を判定する請求項７記載のプロジェクタ装置。
【請求項９】
外部機器から入力される画像信号の入力状態を判定する画像判定ステップと、
前記画像判定ステップで前記画像信号の未入力が判定され、前記画像信号が未入力の状態で所定時間経過した場合はプロジェクタ用の光源の発光出力を、前記発光出力の低下を気づかせないような低下率で低下させ、前記発光出力が低下している間に、前記画像信号の入力が判定されると、前記光源の前記発光出力を初期の発光出力まで素早く増加させる光源制御ステップと、
を有するプロジェクタ装置の光源制御方法。
【発明の詳細な説明】
【技術分野】
【０００１】
本開示は、プロジェクタ装置及びプロジェクタ装置の光源制御方法に関する。
【背景技術】
【０００２】
近年、ビジネス等に限らず、教育現場、学会等においてプロジェクタ、液晶モニタ等の画像表示装置の利用が増えている（例えば、特許文献１参照）。例えば、学校では教師が授業内容を、学会では発表者が研究内容の画像をそれぞれプロジェクタで投影して表示しながら学生等に授業・発表を行っている。
【先行技術文献】
【特許文献】
【０００３】
【特許文献１】特開２０１１−１０７８６０号公報
【発明の概要】
【発明が解決しようとする課題】
【０００４】
しかし、このようにして画像表示装置が利用されてはいるものの、画像は投射表示されてもその時間のおよそ半分くらいは利用されずに授業・発表等が行われており、画像表示装置の光源の消費電力が無駄になっている。
【０００５】
本技術は、このような点に鑑みてなされたものであり、光源の消費電力を抑制する光源制御装置、画像表示装置及び光源制御方法を提供することを目的とする。
【課題を解決するための手段】
【０００６】
上記課題を解決するために、プロジェクタ装置は、プロジェクタ用の光源と、画像判定部と、光源制御部とを有する。画像判定部は、外部機器から入力される画像信号の入力状態を判定する。光源制御部は、画像判定部が画像信号の未入力を判定し、画像信号が未入力の状態で所定時間経過した場合は光源の発光出力を、発光出力の低下を気づかせないような低下率で低下させ、発光出力が低下している間に、画像判定部が画像信号の入力を判定すると、光源の発光出力を初期の発光出力まで素早く増加させる。
【０００８】
また、上記課題を解決するために、プロジェクタ装置において実行するプロジェクタ装置の光源制御方法は、外部機器から入力される画像信号の入力状態を判定する画像判定ステップと、画像判定ステップで画像信号の未入力が判定され、画像信号が未入力の状態で所定時間経過した場合はプロジェクタ用の光源の発光出力を、発光出力の低下を気づかせないような低下率で低下させ、発光出力が低下している間に、画像信号の入力が判定されると、光源の発光出力を初期の発光出力まで素早く増加させる光源制御ステップと、を有する。
【発明の効果】
【０００９】
このようなプロジェクタ装置及びプロジェクタ装置の光源制御方法によれば、プロジェクタ装置の光源の消費電力を抑制することができる。
【図面の簡単な説明】
【００１０】
【図１】第１の実施の形態のプロジェクタのハードウェア構成例を示す図である。
【図２】第１の実施の形態の光源制御装置が備える機能を表す機能ブロック図である。
【図３】第１の実施の形態の光源制御装置で実行される画像信号監視処理を示すフローチャートである。
【図４】第１の実施の形態のフレームごとの輝度レベルに対応する画素数のヒストグラムの一例を示す図である。
【図５】第１の実施の形態の光源制御装置で実行される画像変化判定処理を示すフローチャートである。
【図６】第１の実施の形態の光源制御装置で実行される光源制御処理を示すフローチャートである。
【図７】第１の実施の形態の光源制御装置で実行される光源制御処理による発光出力の変化を示す図である。
【図８】第２の実施の形態の光源制御装置で実行される光源制御処理を示すフローチャートである。
【図９】第２の実施の形態の光源制御装置で実行される光源制御処理による発光出力の変化を示す図である。
【発明を実施するための形態】
【００１１】
以下、図面を参照して実施の形態について説明する。
［第１の実施の形態］
画像表示装置の一例としてのプロジェクタの場合を例に挙げて、図１を用いて説明する。
【００１２】
図１は、第１の実施の形態のプロジェクタのハードウェア構成例を示す図である。
【００１３】
なお、図１では、信号・情報の出入力を実線で、光の出入力を破線でそれぞれ示している。
【００１４】
プロジェクタ１０は、画像信号処理部１１と、パネル制御部１２、液晶パネル部１３、光源部１４、光学処理部１５、投射光学系１６を備えている。さらにプロジェクタ１０は、操作受付部１７と、光源制御装置１８、主制御部１９、メモリ部２０を備えている。
【００１５】
画像信号処理部１１は、例えば、プロジェクタ１０に接続されたパーソナルコンピュータ等の外部機器から画像信号を受け付ける。そして、受け付けた画像信号に対して、画像表示を行うための必要な処理を行う。
【００１６】
パネル制御部１２は、画像信号処理部１１が画像表示を行うための処理が行われた画像信号に基づき液晶パネル部１３の光変調動作を制御する。
【００１７】
液晶パネル部１３は、パネル制御部１２からの制御に応じて後述する光源部１４から出射された光を変調して、画像信号処理部１１が受け付けた画像信号に基づいた光学像を出力する。
【００１８】
光源部１４は、例えば、フィリップス社製のランプ制御技術に対応したプロジェクタ用ランプであって、後述する光源制御装置１８からの制御に応じて、発光出力を変更することができる。
【００１９】
光学処理部１５は、光源部１４から入射した光を集光し、液晶パネル部１３に出射する。
投射光学系１６は、レンズ等を備えており、光源部１４から出射された光を受けた液晶パネル部１３が出力する光学像をスクリーン等の投射面に対して拡大投射する。
【００２０】
操作受付部１７は、プロジェクタ１０に外装されている入力切り替え、発光出力切り替え、レンズシャッターレバー、フォーカスリング等の各種操作キーに対する操作入力を受け付ける。また、操作受付部１７が受け付けた各種操作入力に基づき、後述する主制御部１９が各操作に対応する制御を実行する。
【００２１】
光源制御装置１８は、光源部１４の発光出力を制御する。光源制御装置１８は、ユーザのモード設定に応じて、光源部１４の発光出力を、例えば、最大発光出力（高モード）、最大発光出力に対して８０％（基準モード）、６５％（低モード）、３０％（省電力モード）にそれぞれ制御することができる。なお、高モードに対する基準モード、低モード、省電力モードのそれぞれの割合はこれらに限定されるものではなく、適宜設定することができる。また、光源制御装置１８は、画像信号処理部１１から受け付ける画像信号の変化の有無、画像信号処理部１１から受け付ける画像信号の有無（画像信号が無信号か否か）に応じて、光源部１４の発光出力を制御する。このような制御の詳細については後述する。また、光源部１４の発光のオン・オフ、発光エラー等のステータス監視も行っている。
【００２２】
主制御部１９は、プロジェクタ１０全体を制御することができ、特に、画像信号処理部１１と、パネル制御部１２、投射光学系１６、光源制御装置１８の処理動作を制御する。また、後述するメモリ部２０に対して情報を保持させ、また、メモリ部２０から情報の読み出しを行う。
【００２３】
メモリ部２０は、主制御部１９によるプロジェクタ１０の各構成での処理動作で利用及び生成される情報を保持する。例えば、画像信号処理部１１が画像信号を処理するために必要となる情報（各種プログラムやパラメータデータ、ユーザ設定情報等）を予め保持している。また、光源制御装置１８が光源部１４の発光出力を低下させる際に利用する時間（後述）の情報がユーザに設定されて予め保持される。また、画像信号処理部１１で生成されるヒストグラム（後述）の情報も保持する
【００２４】
このような構成を備えるプロジェクタ１０では、画像表示のために画像信号処理部１１が処理を行った画像信号に応じて、パネル制御部１２が液晶パネル部１３の光変調動作を制御する。そして、液晶パネル部１３は、光源部１４からユーザにより設定された発光出力の光を変調して光学像を出力し、投射光学系１６がこのようにして出力された光学像をスクリーンに対して拡大投射する。
【００２５】
次いで、このようなプロジェクタ１０が備える光源制御装置１８の機能について図２を用いて説明する。
【００２６】
図２は、第１の実施の形態の光源制御装置が備える機能を表す機能ブロック図である。
【００２７】
光源制御装置１８は、画像信号が変化しない場合、画像信号が無信号の場合、あるいは操作入力に基づく消画の場合に光源部１４の発光出力を所定の低下率で低下させて光源部１４の省電力化を図ることができるものである。
【００２８】
このような光源制御装置１８は、画像信号受付部１８ａと、画像変化判定部１８ｂ、光源制御部１８ｃを備える。
【００２９】
画像信号受付部１８ａは、画像信号処理部１１から画像信号を受け付ける。
【００３０】
画像変化判定部１８ｂは、画像信号の変化の有無を判定する。なお、画像信号の変化の有無の判定方法の詳細については後述する。また、画像変化判定部１８ｂは、画像信号受付部１８ａが受け付ける画像信号の有無（無信号であるか否か）の判定を行う。
【００３１】
光源制御部１８ｃは、ユーザが設定した出力モードに基づいて光源部１４の発光出力を制御する。また、光源制御部１８ｃは、画像変化判定部１８ｂが画像信号の無変化（または、無信号）を判定すると、光源部１４の発光出力を所定の低下率で低下させる。光源制御部１８ｃは、無変化（または、無信号）だった画像信号が変化したこと（または、新たに入力されたこと）を画像変化判定部１８ｂが判定すると、光源部１４の低下させていた発光出力をユーザが設定した発光出力モードの低下前の発光出力に回復させる。
【００３２】
次に、このような光源制御装置１８が光源部１４の省電力化のために行う画像信号監視処理及び画像変化判定処理について説明する。
まず、画像信号監視処理について図３及び図４を用いて説明する。
【００３３】
図３は、第１の実施の形態の光源制御装置で実行される画像信号監視処理を示すフローチャートである。
【００３４】
また、図４は、第１の実施の形態のフレームごとの輝度レベルに対応する画素数のヒストグラムの一例を示す図である。なお、図４（Ａ）は入力がアナログＸＧＡ（eXtended Graphics Array）の場合であってフレームＮのヒストグラムの一例を表している。また、図４（Ｂ）は、画像信号処理部１１が生成した、画像信号に対応するフレームごとのヒストグラムの一例を表している。
【００３５】
プロジェクタ１０では、表示対象の画像信号が入力されるごとに、液晶パネル部１３が受け付けた画像信号に基づいた光学像を出力すると共に、光源制御装置１８は当該画像信号を受け付けて図３に沿って画像信号の監視処理を実行する。
【００３６】
［ステップＳ１１］  画像変化判定部１８ｂは、例えば、画像信号受付部１８ａが画像信号処理部１１から受け付けた画像信号から、１フレーム分のヒストグラムを生成する。さらに、今回取得したヒストグラムを含めた最新の１６フレーム前までの各ヒストグラムを取得して、当該ヒストグラムの平均を算出する。
【００３７】
例えば、画像変化判定部１８ｂは、図４（Ａ）に示されるように、アナログＸＧＡの場合にてフレームＮの輝度レベルを３２段階（輝度レベル１（最少）〜輝度レベル３２（最大））に分ける。そして、このような輝度レベルにそれぞれ該当するフレームＮの画素の数を計数して、ヒストグラムを生成する。なお、アナログＸＧＡの場合の画素数は７８６４３２（＝１０２４×７６８）である。
【００３８】
このようにして生成されるヒストグラムは、図４（Ｂ）に示されるように、これまでの１６フレーム分がメモリ部２０に保存される。画像信号が入力されるごとにフレームに対してヒストグラムが新たに生成されて、１６フレーム（フレームＮからフレームＮ−１５）分のヒストグラムの平均が更新される。なお、このようにして算出されたヒストグラムの平均は更新されるごとにメモリ部２０に保存される。
【００３９】
［ステップＳ１２］  画像変化判定部１８ｂは、前回のヒストグラムの平均と、ステップＳ１１で算出したヒストグラムの平均との差に基づき、画像信号の変化の判定処理を実行する。
【００４０】
即ち、画像変化判定部１８ｂは、ヒストグラムの平均に差がない場合には画像信号に変化がないことを判定する。一方、ヒストグラムの平均に差がある場合には画像信号が変化したことを判定する。
【００４１】
次いで、このような画像信号監視処理において画像変化判定部１８ｂで実行される画像変化判定処理（図３のステップＳ１２）について図５を用いて説明する。
【００４２】
図５は、第１の実施の形態の光源制御装置で実行される画像変化判定処理を示すフローチャートである。
【００４３】
［ステップＳ１２ａ］  画像変化判定部１８ｂは、メモリ部２０から、前回のヒストグラムの平均を取得する。
【００４４】
［ステップＳ１２ｂ］  画像変化判定部１８ｂは、ステップＳ１１で生成した最新の１６フレーム分のヒストグラムの平均と、ステップＳ１２ａで取得した前回の１６フレーム分のヒストグラムの平均との差（絶対値）を算出する。
【００４５】
［ステップＳ１２ｃ］  画像変化判定部１８ｂは、ステップＳ１２ｂで算出した差が所定の閾値よりも大きいか否かの評価を行う。
【００４６】
なお、このように閾値による評価を行うのは以下の理由によるものである。例えば、プロジェクタ１０に対してパーソナルコンピュータからプレゼンテーション用のスライドの画像信号が入力される場合に、スライド終了時の黒い画面のヒストグラムは、常に動きが検出されるため安定しない。また、３２段階に分けた輝度レベルの境界付近に該当する画素は、隣接する輝度レベルのどちらかに計数されてしまい、隣り合う輝度レベルの情報が安定しない。他にも、デジタルデータとアナログデータとではデータ範囲が異なり、ノイズによりヒストグラムに必ず影響が生じる。このため、ステップＳ１２ｂで算出した差は零になることは少なく、実質的には画像の変化がないにも関わらず、画像が変化していると判定される場合が生じる。そこで、実質的に画像が変化していないと見なすことができるように閾値を設定して、ヒストグラムの差をこのような閾値により評価するようしている。
【００４７】
［ステップＳ１２ｄ］  画像変化判定部１８ｂは、ステップＳ１２ｃの評価結果にてステップＳ１２ｂで算出した差が所定の閾値よりも小さい場合には画像信号は変化しておらず、同一の画像信号が入力されているものと判定する。一方、画像変化判定部１８ｂは、ステップＳ１２ｂで算出した差が所定の閾値よりも大きい場合には画像信号は変化しており、入力されていた画像信号とは異なる別の画像信号が入力されているものと判定する。
【００４８】
なお、画像変化判定部１８ｂは、ステップＳ１２ｂで算出した差が所定の閾値よりも大きい場合には、さらに、今回と前回とのヒストグラムの平均において隣接する輝度レベルの和をそれぞれ取って、それぞれの和について今回と前回とのヒストグラムで差分を算出するようにしても構わない。この場合には、差分がない場合には同一の画像信号が入力されているものと判定し、差分がある場合には入力されていた画像信号とは異なる別の画像信号が入力されているものと判定する。このような判定により３２段階に分けた輝度レベルの境界付近に画素がある場合でも画像変化判定をより正確に行うことが可能となる。
画像変化判定部１８ｂは、このようにしてステップＳ１２ｃの評価結果に基づき画像変化の有無、あるいは画像信号の有無の判定を行う。
【００４９】
次いで、画像信号監視処理とは別に光源制御部１８ｃで実行される光源制御処理について図６及び図７を用いて説明する。
【００５０】
図６は、第１の実施の形態の光源制御装置で実行される光源制御処理を示すフローチャートである。
【００５１】
また、図７は、第１の実施の形態の光源制御装置で実行される光源制御処理による発光出力の変化を示す図である。図７のグラフは横軸が経過時間を、縦軸が光源部１４の発光出力をそれぞれ表している。グラフの上部には、画像変化の有無の状態を表示している。また、出力モードごとの光源部１４の発光出力Ｗａ（１００％：高モード），Ｗｂ（８０％：基準モード），Ｗｃ（６５％：低モード）の画像変化の有無に応じた場合の変化が示されている。
【００５２】
［ステップＳ２１］  光源制御部１８ｃはメモリ部２０から、予め設定してある光源部１４の発光出力の低下を開始する時間（例えば、第１の実施の形態では後述する時間Ｔ１）を読み込む。
【００５３】
［ステップＳ２２］  光源制御部１８ｃは、図３のステップＳ１２（図５のステップＳ１２ｄ）の画像信号の変化の判定結果に基づき、画像信号に変化がない場合にはステップＳ２３の処理に移行し、画像信号に変化がある場合にはステップＳ２８の処理に移行する。
【００５４】
［ステップＳ２３］  光源制御部１８ｃは、画像信号の無変化が判定されて（例えば、図７のＡ点にて）時間の計測を開始する。
なお、光源制御部１８ｃは、図７のＡ点で画像信号の無信号が判定された場合も同様に時間の計測を開始する。
【００５５】
［ステップＳ２４］  光源制御部１８ｃは、計測する時間がステップＳ２１で読み込んだ時間（時間Ｔ１）が経過するとステップＳ２５の処理に移行する。経過しないうちは、ステップＳ２２の処理に再び移行する。なお、画像信号の有無を判定するにはある程度の時間が必要である。時間Ｔ１はそのような時間であって、ユーザが任意に設定することができ、例えば、１０秒〜２０秒である。
【００５６】
［ステップＳ２５］  光源制御部１８ｃは、時間の計測を停止する。
【００５７】
［ステップＳ２６］  光源制御部１８ｃは、ステップＳ２１で読み込んだ時間が経過すると、光源部１４の発光出力を所定の低下率での低下を開始させる。これに伴い、プロジェクタ１０から投射される画像が少しずつ暗くなる。
【００５８】
図７の場合では、光源制御部１８ｃは時間Ｔ１が経過したＢ点から光源部１４の発光出力の低下を開始させる。光源部１４の発光出力を低下させる際には、説明者から当該プロジェクタ１０を用いて説明等を受けている者（被説明者）に当該発光出力の低下を気づかせないような低下率で低下させる。被説明者に光源部１４の発光出力の低下を気づかせないようにすることで、被説明者を説明者の説明に集中させるようにすることができる。なお、実際に様々な低下率を試したところ、発光出力が２１５Ｗのランプの可変１ステップ分に対応する５Ｗ／秒程度以下の低下率を用いた場合に、被説明者に気づかれずに光源部１４の発光出力を低下させることができる。
【００５９】
［ステップＳ２７］  光源制御部１８ｃは、ステップＳ２６で低下させた光源部１４の発光出力が所定の下限値に達すると、当該下限値に達した光源部１４の発光出力を維持させる。これにより、光源部１４の省電力化を図ることが可能となる。
【００６０】
図７では、下限値に、例えば、省電力モードとして最大発光出力に対して３０％の発光出力Ｗ０を設定している。図７の高モードの場合には、光源制御部１８ｃは、光源部１４の発光出力ＷａをＢ点から２Ｗ／秒程度の低下率で低下させて発光出力Ｗａが３０％に達したＣ点以後、当該３０％の発光出力Ｗ０を維持させる。
【００６１】
［ステップＳ２８］  ステップＳ２２で画像信号に変化があることが判定された場合には、光源制御部１８ｃは、計測した時間をリセットする。
【００６２】
［ステップＳ２９］  光源制御部１８ｃは、光源部１４の低下させた発光出力をユーザが設定した低下前の発光出力モードの発光出力に回復させる。
【００６３】
図７の高モードの場合には、光源制御部１８ｃはＣ点以後、光源部１４を３０％の発光出力Ｗ０で維持している間に、Ｐ点で画像信号の変化が判定されると、当該発光出力Ｗ０を発光出力Ｗａまで回復させる。
【００６４】
なお、光源部１４の発光出力Ｗａをこのように発光出力Ｗ０まで低下させて維持しており光源部１４は完全にオフにはされていないために、初期の発光出力Ｗａまで回復させるために時間を要しない。このため、例えば、発光出力が低下している画像の信号から別の画像の信号が入力されて画像信号に変化が生じた場合は、被説明者は待たせられることなく投射される別の画像を視認することができるようになる。
【００６５】
また、発光出力を回復するための画像信号の変化の発生は図７のＣ点以後の場合に限らず、光源制御部１８ｃは、例えば、高モードの光源部１４の発光出力Ｗａを低下させている間（Ｂ点〜Ｃ点間）に画像信号に変化が発生した場合でも、当該発光出力を初期の発光出力Ｗａまで回復させることができる。
【００６６】
このように光源制御装置１８では、画像変化判定部１８ｂが画像信号の変化がない（同一画像信号が入力されている）こと（または、画像信号が無信号であること）を判定すると、光源制御部１８ｃが光源部１４の発光出力を被説明者が気づかないような低下率で低下させるようにした。これにより、光源部１４の省電力化を図ることができ、さらに、被説明者を説明者の説明に集中させるようにすることができるようになる。
【００６７】
また、光源制御部１８ｃが光源部１４の発光出力を低下させている間、また、発光出力を低下させた状態で維持している間に、画像変化判定部１８ｂが画像信号の変化がある（入力されていた画像信号とは別の画像信号が入力された）ことを判定すると、光源制御部１８ｃは光源部１４の発光出力を初期の発光出力に回復させるようにした。光源部１４の発光出力は低下してもオフにされることはないために、例えば、説明者が発光出力が低下している画像から別の画像を表示しようとした場合に、光源部１４の発光出力を素早く回復させることができ、被説明者は待たせられることなく別の画像を視認できるようになる。
【００６８】
［第２の実施の形態］
第２の実施の形態では、画像信号に変化がない場合に光源部１４の発光出力を低下させる別の方法について説明する。
【００６９】
第２の実施の形態でも、光源部１４の省電力化のために、図１及び図２のプロジェクタ１０の光源制御装置１８が画像信号監視処理（図３）及び光源制御処理（図８）を実行する。
【００７０】
まず、光源制御装置１８は、第１の実施の形態と同様に、画像信号監視処理においてヒストグラムを生成し（ステップＳ１１）、画像変化判定処理（ステップＳ１２、図５）を実行する。画像信号監視処理における画像変化判定結果を踏まえて光源制御処理を実行する。
【００７１】
以下では、第２の実施の形態で実行される光源制御処理について図８及び図９を用いて説明する。
【００７２】
図８は、第２の実施の形態の光源制御装置で実行される光源制御処理を示すフローチャートである。
【００７３】
また、図９は、第２の実施の形態の光源制御装置で実行される光源制御処理による発光出力の変化を示す図である。なお、図９では、横軸、縦軸等は図７と同様である。
【００７４】
［ステップＳ４１〜Ｓ４４］  光源制御部１８ｃは、図６のステップＳ２１〜Ｓ２４と同様の処理をそれぞれ実行する。
なお、ステップＳ４１では、時間Ｔ１に加えて時間Ｔ２を取得する。
【００７５】
［ステップＳ４５］  光源制御部１８ｃは、ステップＳ４１で読み込んだ時間Ｔ１が経過すると、光源部１４の発光出力を所定の低下率での低下を開始させる。これに伴い、プロジェクタ１０から投射される光学像の明度が若干低下する。
【００７６】
図９の各出力モードの場合でも、時間Ｔ１が経過したＢ点から光源部１４の発光出力Ｗａ，Ｗｂ，Ｗｃを低下させる際の低下率を５Ｗ／秒程度以下とすることが望ましい。これにより、被説明者に光源部１４の発光出力の低下を気づかせないようにして、被説明者を説明者の説明に集中させるようにすることができる。
【００７７】
［ステップＳ４６］  光源制御部１８ｃは、所定の低下率で低下させた光源部１４の発光出力が所定量低下すると、低下させた発光出力を維持する。
【００７８】
図９の各出力モードの場合にて、光源部１４の発光出力Ｗａ，Ｗｂ，ＷｃをＢ点から５Ｗ／秒程度以下で低下させて、初期の発光出力Ｗａ，Ｗｂ，ＷｃからΔＷ低下すると、ΔＷ低下した発光出力Ｗａ，Ｗｂ，Ｗｃを維持するようにしている。このΔＷは、ΔＷ低下した発光出力Ｗａ，Ｗｂ，Ｗｃに応じた投射画像から被説明者に光源部１４の発光出力Ｗａ，Ｗｂ，Ｗｃが低下していることが気づかれない量である。またΔＷは、各出力モードが区別されるように、各出力モードの発光出力Ｗａ，Ｗｂ，ＷｃがΔＷ低下しても下位の出力モードとの発光出力Ｗｂ，Ｗｃ，Ｗ０の差が保てるようにしている。さらに、省電力化の観点からできる限りΔＷを高くすることが望ましい。このような点に鑑みると、ΔＷ低下した発光出力Ｗａ，Ｗｂ，Ｗｃが初期の発光出力に対して８５％〜９０％程度になるように、ΔＷは初期の発光出力Ｗａ，Ｗｂ，Ｗｃに対して１０％〜１５％程度であることが望ましい。
【００７９】
なお、この場合の発光出力がΔＷ低下するまでに時間Ｔ３を要する。時間Ｔ３（＝ΔＷ／低下率）は光源制御部１８ｃにより算出される。
【００８０】
［ステップＳ４７］  ステップＳ４２と同様の処理を実行する。但し、画像変化がない場合にはステップＳ４８の処理に移行する。
［ステップＳ４８］  光源制御部１８ｃは、ステップＳ４３で計測した時間がステップＳ４１で読み込んだ時間（例えば、図９の時間Ｔ２（Ｅ点））が経過するとステップＳ４９の処理に移行する。経過しないうちは、ステップＳ４７の処理に再び移行する。
【００８１】
なお、図９のＢ点〜Ｄ点〜Ｅ点の間は、画像信号が無変化となって比較的早期であることが考えられる。このために説明者はプロジェクタ１０から当該無変化の画像信号に対応する投射画像を利用して説明している可能性が高い。
【００８２】
このような点に鑑みて、ステップＳ４５〜Ｓ４８の処理により、被説明者に発光出力の低下がほとんど気づかれない程度ではあるが発光出力を低下させてその状態を維持するようにして、消費電力の抑制を図っている。つまり、被説明者には発光出力が初期の場合とほとんど変わらない投射画像を視認している印象を与えることになる。したがって、時間Ｔ２は、投射画面を使った説明者の説明時間を踏まえて設定することが望まれ、例えば、３００秒（５分）〜１２０００秒（２０分）程度であることが考えられる。
【００８３】
なお、この場合、発光出力がΔＷ低下してからステップＳ４９に移行されるまでに時間Ｔ４を要する。時間Ｔ４（＝時間Ｔ２−（時間Ｔ１＋時間Ｔ３））は、光源制御部１８ｃにより算出される。
【００８４】
［ステップＳ４９］  光源制御部１８ｃは、時間の計測を停止する。
［ステップＳ５０］  光源制御部１８ｃは、光源部１４の発光出力を所定の低下率での低下を開始させる。これに伴い、プロジェクタ１０から投射される画像が視認できる範囲で暗くなる。
【００８５】
図９でも、各出力モードにおいて、光源制御部１８ｃは時間Ｔ２が経過したＥ点から光源部１４の発光出力を既述の通り５Ｗ／秒程度以下で低下させて、被説明者に光源部１４の発光出力の低下を気づかせないようにすることで、被説明者を説明者の説明に集中させるようにすることができる。
【００８６】
なお、この場合（高モード）には、発光出力が低下してから発光出力Ｗ０に低下するまでに時間Ｔ５を要する。時間Ｔ５（＝（ΔＷ低下した発光出力Ｗａ）／低下率）は、光源制御部１８ｃにより算出される。
【００８７】
［ステップＳ５１］  光源制御部１８ｃは、ステップＳ５０で低下させた光源部１４の発光出力が所定の下限値に達すると、当該下限値に達した光源部１４の発光出力を維持する。これにより、光源部１４の省電力化を図ることが可能となる。
【００８８】
図９でも、下限値として、発光出力Ｗ０（省電力モードの３０％）を設定している。高モードの場合には、光源制御部１８ｃは、光源部１４のΔＷ低下した発光出力ＷａをＥ点から２Ｗ／秒程度の低下率で低下させて、発光出力がＣ点で発光出力Ｗ０に達すると、Ｃ点以後、発光出力Ｗ０を維持させる。
【００８９】
［ステップＳ５２，５３］  光源制御部１８ｃは、図６のステップＳ２８，２９と同様の処理をそれぞれ実行する。
【００９０】
なお、ステップＳ５３での発光出力の回復は、図９の場合には、光源制御部１８ｃはＣ点以後、発光出力Ｗ０を維持している間に、Ｐ点で画像信号に変化、あるいは信号レベル自体の変化と安定性の変化があって、発光出力Ｗａ，Ｗｂ，Ｗｃまで回復させている場合を表している。また、この場合に限らず、光源制御部１８ｃは、光源部１４の発光出力を低下させている間（Ｂ点〜Ｄ点〜Ｅ点〜Ｃ点間）に画像信号に変化があると、当該発光出力を初期の発光出力Ｗａ，Ｗｂ，Ｗｃまで回復させることができる。
【００９１】
また、第２の実施の形態では、光源部１４の低下させた発光出力の回復は画像信号の変化があった場合に行われる。発光出力の回復をこの場合に加えて以下のように行うことも可能である。
【００９２】
画像信号が無変化であることが判定されて光源部１４の発光出力の低下が開始された後、または、低下した発光出力が維持されている間に、ユーザがプロジェクタ１０の任意の操作キーに対して操作入力、外部制御等を行う。操作受付部１７が当該操作入力または外部制御等を受け付けると、主制御部１９は光源制御装置１８に回復要求を通知する。光源制御部１８ｃは回復要求が通知されると光源部１４に対して発光出力の回復処理（図８のステップＳ５２，Ｓ５３）を実行する。例えば、図９において時間Ｔ２が経過しても説明者が現在の投影画像を利用して説明を続けたい場合、または、説明者がＣ点後に発光出力が低下してしまった投影画像で再度説明を行いたい場合等に、このような回復方法を利用することができる。この方法では画像信号を変化させる必要がないために、例えば、説明の演出等を考慮して別の画像を表示させたくない場合等、説明者はプロジェクタ１０に任意の操作キーを単に操作するだけで容易に発光出力の回復を迅速に行うことができる。
【００９３】
このように光源制御装置１８では、画像変化判定部１８ｂが画像信号の変化がない（同一画像信号が入力されている）ことを判定すると、光源制御部１８ｃが光源部１４の発光出力を被説明者が気づかないような低下率で低下させるようにした。これにより、光源部１４の省電力化を図ることができ、さらに、被説明者を説明者の説明に集中させるようにすることができるようになる。
【００９４】
特に、光源部１４の発光出力を低下させる際に、被説明者がほとんど気づかない程度に発光出力を低下させ、その状態を維持したあと所定の低下率で低下させるようにした。これにより、説明者が投射画像を利用することが予想される、同一画像信号が入力されるようになって比較的早期でも、光源部１４の省電力化を図りつつ、被説明者を説明者の説明に集中させるようにすることができるようになる。
【００９５】
また、光源制御部１８ｃが光源部１４の発光出力を低下している間、また、発光出力を低下させた状態で維持させている間に、画像変化判定部１８ｂが画像信号の変化がある（入力されていた画像信号とは別の画像信号が入力された）ことを判定すると、光源制御部１８ｃは光源部１４の発光出力をユーザが設定した低下前の発光出力モードの発光出力に回復させるようにした。光源部１４の発光出力は低下してもオフにされることはないために、例えば、説明者が発光出力が低下している画像から別の画像を表示しようとした場合に、光源部１４の発光出力を素早く回復させることができ、被説明者は待たせられることなく別の画像を視認することができる。
【００９６】
また、このような発光出力の回復とは別に、ユーザがプロジェクタ１０の任意の操作キーに対して行った操作入力、外部制御からの入力等が操作受付部１７で受け付けられると、光源制御部１８ｃが光源部１４に対して発光出力の回復処理を実行するようにした。したがって、説明者はプロジェクタ１０に任意の操作キーを単に操作するだけで容易に発光出力の回復を迅速に行うことができ、被説明者は光源部１４の発光出力が低下することで視認できなくなった投射画像が再び視認できるようになる。
【００９７】
なお、本技術は以下のような構成も採ることができる。
（１）画像信号の変化及び前記画像信号の少なくともいずれか一方の有無を判定する画像変化判定部と、
前記画像変化判定部が前記画像信号の無変化及び前記画像信号の無信号の少なくともいずれか一方を判定すると、光源の発光出力を所定の低下率で低下させる光源制御部と、
を有する光源制御装置。
（２）前記光源制御部は、前記光源の前記発光出力を一定量低下した状態で維持させる前記（１）記載の光源制御装置。
（３）前記光源制御部は、維持させている前記光源の前記発光出力を所定の低下率で再度低下させる前記（２）記載の光源制御装置。
（４）前記光源制御部は前記光源の前記発光出力を前記低下率で所定の下限値まで低下させる前記（１）乃至（３）のいずれか１つに記載の光源制御装置。
（５）前記光源制御部は、前記発光出力を低下させている間または低下させた前記発光出力を維持させている間に、前記画像変化判定部が前記画像信号の変化及び前記画像信号があることの少なくともいずれか一方を判定すると、前記光源の前記発光出力を初期の発光出力に回復させる前記（２）乃至（４）のいずれか１つに記載の光源制御装置。
（６）前記低下率は５Ｗ／秒以下である前記（１）記載の光源制御装置。
（７）前記一定量低下した前記発光出力は、ユーザが設定した発光出力モードの発光出力の８５％〜９０％である前記（２）記載の光源制御装置。
（８）前記画像変化判定部は、前記画像信号に基づくフレームの各輝度にそれぞれ対応する画素数のヒストグラムに応じて、前記画像信号の変化及び前記画像信号の少なくともいずれか一方の有無を判定する前記（１）記載の光源制御装置。
（９）前記画像変化判定部は、前記ヒストグラムと、過去の画像信号に対応するヒストグラムとの差に基づき画像信号の変化及び前記画像信号の少なくともいずれか一方の有無を判定する前記（８）記載の光源制御装置。
（１０）光源と、
画像信号の変化及び前記画像信号の少なくともいずれか一方の有無を判定する画像変化判定部と、前記画像変化判定部が前記画像信号の無変化及び前記画像信号の無信号の少なくともいずれか一方を判定すると、前記光源の発光出力を所定の低下率で低下させる光源制御部と、を備える光源制御装置と、
を有する画像表示装置。
（１１）画像信号の変化及び前記画像信号の少なくともいずれか一方の有無を判定する画像変化判定ステップと、
前記画像変化判定ステップで前記画像信号の無変化及び前記画像信号の無信号の少なくともいずれか一方が判定されると、光源の発光出力を所定の低下率で低下させる光源制御ステップと、
を有する光源制御方法。
【００９８】
なお、上述の実施の形態は、実施の形態の要旨を逸脱しない範囲内において種々の変更を加えることができる。
【００９９】
さらに、上述の実施の形態は、多数の変形、変更が当業者にとって可能であり、説明した正確な構成及び応用例に限定されるものではない。
【符号の説明】
【０１００】
１０……プロジェクタ、１１……画像信号処理部、１２……パネル制御部、１３……液晶パネル部、１４……光源部、１５……光学処理部、１６……投射光学系、１７……操作受付部、１８……光源制御装置、１８ａ……画像信号受付部、１８ｂ……画像変化判定部、１８ｃ……光源制御部、１９……主制御部、２０……メモリ部
【図１】
0006024084.tif 000002
【図２】
0006024084.tif 000003
【図３】
0006024084.tif 000004
【図４】
0006024084.tif 000005
【図５】
0006024084.tif 000006
【図６】
0006024084.tif 000007
【図７】
0006024084.tif 000008
【図８】
0006024084.tif 000009
【図９】
0006024084.tif 000010